(57)【要約】【課題】給電部から受電部への給電を行うとき以外は、給電部を通電していない状態とすることができる。【解決手段】テーブル（固定什器）２に設けられ外部から給電される給電部５と、カート（移動什器）３に設けられカート３がテーブル２に近接した際に給電部５と対向配置し給電部５から給電される受電部４と、給電部５への給電と、給電部５への給電の停止とを切り替えるスイッチ部９と、を備える。スイッチ部９は、カート３がテーブル２に近接または当接することによって給電部５へ給電し、カート３がテーブル２から離間することによって給電部５への給電を停止する。【選択図】図１
2012019876.tif 000002
【特許請求の範囲】
【請求項１】
床面上に移動可能に設けられた移動什器と、床面上に載置された固定什器とを備えた什器システムであって、
前記固定什器に設けられ電力供給手段から給電される給電部と、
前記移動什器に設けられ前記移動什器が前記固定什器に近接した際に前記給電部と対向配置し前記給電部から給電される受電部と、
前記電力供給手段から前記給電部へ給電するオン状態と、前記電力供給手段から前記給電部への給電の停止するオフ状態とを切り替えるスイッチ部と、を備え、
前記スイッチ部は、前記移動什器が前記固定什器に近接または当接することによって前記オン状態となり、前記移動什器が前記固定什器から離間することによって前記オフ状態となることを特徴とする什器システム。
【請求項２】
前記スイッチ部は、前記固定什器に取り付けられて前記移動什器の一部が当接することによって前記オン状態および前記オフ状態を切り替える物理スイッチであることを特徴とする請求項１に記載の什器システム。
【請求項３】
前記スイッチ部は、前記固定什器に取り付けられていて、前記移動什器が近接したことを感知することによって前記オン状態および前記オフ状態を切り替える近接センサであることを特徴とする請求項１に記載の什器システム。
【請求項４】
前記給電部と前記受電部の一方に設けられ、磁石からなるマグネット部材を有する第一のコネクタと、
前記給電部と前記受電部の他方に設けられ、磁性体からなる磁性部材を有し、前記移動什器が前記固定什器に近接した際に、前記第一のコネクタと電気的に接続されるとともに前記マグネット部材に前記磁性部材が磁気的に吸着される第二のコネクタと、を備えることを特徴とする請求項１乃至３のいずれか１項に記載の什器システム。
【請求項５】
前記給電部と前記受電部とは非接触給電を行うことを特徴とする請求項１乃至３のいずれか１項に記載の什器システム。
【請求項６】
前記給電部から前記受電部への給電状態を表示する表示装置が設けられていることを特徴とする請求項１乃至５のいずれか１項に記載の什器システム。
【発明の詳細な説明】
【技術分野】
【０００１】
本発明は、オフィスや病院、公共施設等における執務空間、および家庭等の居住空間にて使用され、受電部が設置された移動什器と給電部が設置された固定什器とを備える什器システムに関する。
【背景技術】
【０００２】
従来から、物品を載置、収納する手段を有しつつ、床面上を走行可能なカートなどの移動什器が知られている。このような移動什器は、例えば、病院や介護施設等で病室を回診する際などに利用されており、近年、カルテなどの電子化に伴って情報端末などの電子機器を載置可能とするため、電源が組み込まれている。
【０００３】
このような移動什器は受電部を備えており、移動什器を移動させて受電部のコネクタを固定什器に設けられた給電部のコネクタに電気的に接続させることによって給電部から受電部に給電され、移動什器で電力を取り出せるようにしている（特許文献１参照）。
また、電源が組み込まれた移動什器に給電する方法としては、建物の床面に設けた給電部のコイルと、移動什器に搭載した受電部のコイルとの間に生じる電磁誘導を利用した非接触給電装置によって、移動什器に給電する方法が特許文献２に、開示されている。
【先行技術文献】
【特許文献】
【０００４】
【特許文献１】特開２０１０−１１８２４７号公報
【特許文献２】特許第４４６９２９０号公報
【発明の概要】
【発明が解決しようとする課題】
【０００５】
しかしながら、特許文献１に開示された什器では、給電部は常に通電しているため、通電している給電部へ使用者やコネクタ以外の異物が接触しないように配慮しなければならない。また、給電部と受電部とが電気的に接続されていないときにも待機電力が消費されているため、この待機電力を削減することが望まれている。
また、特許文献２に開示された什器においても、給電部のコイルに受電部のコイル以外の金属などが近づいた際に、給電部のコイルに電流が流れないようにする必要がある。
【０００６】
本発明は、上述する事情に鑑みてなされたもので、給電部から受電部への給電を行うとき以外は、給電部を通電していない状態とすることができる什器システムを提供することを目的とする。
【課題を解決するための手段】
【０００７】
上記目的を達成するため、本発明に係る什器システムは、床面上に移動可能に設けられた移動什器と、床面上に載置された固定什器とを備えた什器システムであって、前記固定什器に設けられ電力供給手段から給電される給電部と、前記移動什器に設けられ前記移動什器が前記固定什器に近接した際に前記給電部と対向配置し前記給電部から給電される受電部と、前記電力供給手段から前記給電部へ給電するオン状態と、前記電力供給手段から前記給電部への給電の停止するオフ状態とを切り替えるスイッチ部と、を備え、前記スイッチ部は、前記移動什器が前記固定什器に近接または当接することによって前記オン状態となり、前記移動什器が前記固定什器から離間することによって前記オフ状態となることを特徴とする。
【０００８】
本発明では、スイッチ部は、移動什器が固定什器に近接または当接することによってオン状態となり、移動什器が固定什器から離間することによってオフ状態となることにより、給電部が受電部へ給電を行う時以外は、給電部を通電していない状態とすることができるため、安全性を向上させることができる。
また、移動什器が固定什器に近接または当接する動作および離間する動作に連動してスイッチ部のオン状態とオフ状態とを切り替えることができるため、移動什器に給電を行う作業性を良好に維持することができる。
【０００９】
また、本発明に係る什器システムでは、前記スイッチ部は、前記固定什器に取り付けられて前記移動什器の一部が当接することによって前記オン状態および前記オフ状態を切り替える物理スイッチとしてもよい。
このように、スイッチ部は、移動什器の一部が当接することによってオン状態およびオフ状態を切り替える物理スイッチであるため、給電部への給電を確実に行うことができる。
【００１０】
また、本発明に係る什器システムでは、前記スイッチ部は、前記固定什器に取り付けられていて、前記移動什器が近接したことを感知することによって前記オン状態および前記オフ状態を切り替える近接センサとしてもよい。
このように、スイッチ部は、移動什器が近接したことを感知することによってオン状態およびオフ状態を切り替える近接センサとすることによって、給電部への給電を確実に行うことができる。
【００１１】
また、本発明に係る什器システムでは、前記給電部と前記受電部の一方に設けられ、磁石からなるマグネット部材を有する第一のコネクタと、前記給電部と前記受電部の他方に設けられ、磁性体からなる磁性部材を有し、前記移動什器が前記固定什器に近接した際に、前記第一のコネクタと電気的に接続されるとともに前記マグネット部材に前記磁性部材が磁気的に吸着される第二のコネクタと、を備えていてもよい。
このように、給電部と受電部の一方に設けられ、磁石からなるマグネット部材を有する第一のコネクタと、給電部と受電部の他方に設けられ磁性体からなる磁性部材を有し移動什器が固定什器に近接した際に第一のコネクタと電気的に接続されるとともにマグネット部材に磁性部材が磁気的に吸着される第二のコネクタと、を備えていることにより、マグネット部材の吸着力によって第一のコネクタと第二のコネクタとを確実に電気的に接続させることができる。
【００１２】
また、本発明に係る什器システムでは、前記給電部と前記受電部とは非接触給電を行ってもよい。
このように、給電部と受電部とを近接させて非接触給電を行うことにより、使用者が受電部と給電部とを当接させて接続する作業を省くことができるため、利便性を向上させることができる。
また、給電部と受電部とは非接触給電を行うことにより、給電状態においても移動什器を固定什器から離間させて移動させることができる。
また、給電部と受電部とは非接触給電を行うことにより、給電部や受電部をカバーで覆っても給電を行うことができる。そして、給電部や受電部をカバーで覆うことによって、この什器システムで水や薬液などを使用する場合に、給電部や受電部へ直接水や薬液がかかることを防止することができる。
【００１３】
また、本発明に係る什器システムでは、前記給電部から前記受電部への給電状態を表示する表示装置が設けられていることが好ましい。
このように、給電部から受電部への給電状態を表示する表示装置が設けられていることにより、使用者が給電状態を確認することができるため、使い勝手がよい。
【発明の効果】
【００１４】
本発明によれば、移動什器が固定什器に近接または当接することによって給電部が通電し、移動什器が固定什器から離間することによって給電部への給電が停止されることにより、給電部が受電部へ給電を行う時以外は、給電部を通電していない状態とすることができるため、給電時における作業性を良好なものにすることができると共に、安全性を高めることができる。
【図面の簡単な説明】
【００１５】
【図１】本発明の第１による什器システムの一例を示す図である。
【図２】図２は図１に示す什器システム上面図である。
【図３】受電側コネクタおよび給電側コネクタを示す平面図である。
【図４】コネクタガイド部材を示す斜視図である。
【図５】（ａ）、ｂ）はスイッチ部を説明する図である。
【図６】本発明の第２実施形態による什器システムの一例を示す図である。
【図７】受電部および給電部を説明する図である。
【図８】スイッチ部を説明する図である。
【図９】本実施形態の変形例を示す図である。
【図１０】本実施形態の他の変形例を示す図である。
【発明を実施するための形態】
【００１６】
（第１実施形態）
以下、本発明の第１実施形態による什器システムについて、図１乃至図５に基づいて説明する。
（什器システム）
図１に示すように、本実施形態による什器システム１Ａは、床面Ｆ上に配設されたテーブル（固定什器）２と、床面Ｆ上を走行可能に配設されたカート３（移動什器）と、を備えている。
カート３は、天板１４に情報端末などの図示しない電子機器を載置可能であり、この電子機器のバッテリーのプラグが差し込まれるコンセントを備える受電部４が設けられている。そして、テーブル２には、受電部４と電気的に接続されたときに受電部４に給電を行う給電部５とが設けられている。
また、給電部５は、図示しないコンセント（電力供給手段）に接続されていて給電されている。そして、什器システム１Ａには、給電部５への給電およびこの給電の停止を切り替えるスイッチ部９が設けられている。スイッチ部９について詳しくは後述する。
ここで、図１において、テーブル２に対してカート３が近接、離間する方向となる紙面左右方向を、前後方向と称し、紙面右側を前側とし、紙面左側を後側として以下説明する。
【００１７】
テーブル２は、天板６と、天板６を支持し床面Ｆに設置された脚部８と、を備えている。天板６の下方には給電部５が設けられており、給電部５には受電部４の受電側コネクタ（第二のコネクタ）２２と接続される給電側コネクタ（第一のコネクタ）７が設けられている。
【００１８】
カート３は、キャスタ１１を備えていて床面Ｆ上を移動可能な架台１２と、架台１２の上に設置されて物品を収容可能な収納部１３と、収納部１３の上方に設けられて上面に情報端末などの電子機器を載置可能な天板１４と、を備えている。
【００１９】
収納部１３は、架台１２上の左右側縁に立設した側面視倒立Ｕ字形をなす左右１対の側面枠１５，１５により構成されている。
各側面枠１５は、前側に設けられた前部支柱１６と、後側に設けられた後部支柱１７と、前部支柱１６の上端から後側に向けて水平に延び、かつ後部支柱１７に連結された横桟１８とにより枠組みされている。
上下方向を向く前部支柱１６は、カート３の操作時に、障害物等との衝突による収容物の破損を防止する保護部材となる。前後両支柱１６，１７間には、複数のワイヤー部材１９が上下に所望の間隔をもって前後方向に沿って架設されている。 
【００２０】
左右の側面枠１５，１５は、その前側上部間が、左右方向を向く連結杆２０により連結されている。
また、左右の側面枠１５，１５間には、横桟１８と略同じ高さに、天板１４に載置された電子機器のバッテリーを収容可能なバッテリー収容部２１が設けられている。このバッテリー収容部２１は、後側となる後面が開口された箱状に形成されていて、後面から内部にバッテリーを挿入することができる。
バッテリー収容部２１の内部には、バッテリーのプラグが接続可能なコンセントが取り付けられており、バッテリー収容部２１の前面には、このコンセントと接続された受電側コネクタ２２が、前側に突出するように設けられている。このコンセントと受電側コネクタ２２とが受電部４を構成している。
【００２１】
収納部１３内における左右の側面枠１５，１５間には、収容物を収容可能な上下２段のトレイ２３，２３が配設されており、各トレイ２３は、各側面枠１５における前後両支柱１６，１７間に架設されたワイヤー部材１９によって着脱自在に支持されている。
【００２２】
左右の後部支柱１７，１７における各々の上部には、収納部１３の上面より上方に離間する位置において、円弧状をなして前側に折曲させることにより、円弧状の折曲部と、前向部とが形成され、この折曲部により、カート操作用のハンドル部２４，２４が、また前向部により、天板支持部２５，２５がそれぞれ形成されている。左右の両天板支持部２５，２５上には、天板１４が載置され、かつ固定されている。
これにより、収納部１３の上部を構成する横桟１８と、左右の天板支持部２５，２５および天板１４の下面との間には、前側および前後方向に直交する左右方向両側に開口するとともに、後側がハンドル部２４によって閉鎖された凹部２６が形成されている。
【００２３】
この凹部２６は、カート３とテーブル２とが近接または当接したときに、テーブル２の天板６が進入するように構成されている。すなわち、高さ方向の位置がテーブル２の天板６と略等しくなるように形成されているとともに、天板６が挿入可能な高さ寸法となるように天板支持部２５、２５と横桟１８、１８との離間寸法が設定されている。また、凹部２６にテーブル２の天板６が挿入された状態で、カート３の収納部１３がテーブル２の天板６の下方に潜入し、カート３の天板１４および天板支持部２５，２５がテーブル２の天板６の上方に位置している。これにより、カート３の天板１４上に、パソコン等を載置したままの状態で、カート３の収納部１３を、テーブル２の天板６の下方に潜入させて使用することができる。
【００２４】
各天板支持部２５、２５には、ストッパ２７が固定されている。このストッパ２７の上面は、天板支持部２５の上方に突出させることにより、天板１４の下面を支持する天板受け部材を兼ねている。
ストッパ２７の下部は、ハンドル部２４より前側、さらに、カート３の天板１４の後端１４ａより前側における天板支持部２５の下面より垂下するように設けられており、外上方を向くフック片２７ａが設けられている。
そして、ストッパ２７の下部は、凹部２６にテーブル２の天板６が進入したときに、テーブル２の天板６の後端部６ａと当接してテーブル２の天板６が進入する奥行きを規制している。
【００２５】
また、図２に示すように、テーブル２の天板６の下面には、この下面から突出しカート３を移動させて凹部２６に天板６を進入させるときにカート３を案内するカートガイド部材２８が設けられている。
カートガイド部材２８，２８は、凹部２６に天板６が進入したときにカート３の両側方に配設された一対の棒状の部材で、それぞれ延在方向の途中で屈曲している。一対のカートガイド部材２８，２８は、互いの離間寸法Ｌが、後側となる基端２８ｂにおいてカート３の左右方向の外幅寸法Ｂ、すなわち側面枠１５、１５同士の外幅寸法よりも大きいとともに、前側となる先端側に向かうに従って次第に小さくなり、屈曲点２８ａにおいてカート３の左右方向の外幅寸法Ｂと略等しくなり、先端側まで延設されている。
【００２６】
このため、カート３を移動させて凹部２６にテーブル２の天板６を進入させるときにカート３の位置がずれたとしても、カート３の前部支柱１６がカートガイド部材２８と当接することによって、カート３が左右方向に正しい位置に案内される。また、カート３を前側に所定位置まで移動すると、テーブル２の天板６の縁部がストッパ２７に当接し、前側への移動が規制される。
【００２７】
そして、図１に示すように、カート３の凹部２６にテーブル２の天板６が進入し、ストッパ２７によってテーブル２に対してカート３が位置決めされた状態で、受電部４と給電部５とが電気的に接続され、給電部５から受電部４に電力が供給されている。具体的には、カート３のバッテリー収容部２１の前側に設けられた受電側コネクタ（第二のコネクタ）２２と、テーブル２の下側に設けられた給電部５の給電側コネクタ（第一のコネクタ）７とが電気的に接続される。受電側コネクタ２２と給電側コネクタ７は、床面Ｆから略同じ高さに設置されている。
【００２８】
（コネクタ）
図３に示すように、受電側コネクタ２２には、給電側コネクタ７が嵌合される凹部４１が形成されていて、この凹部４１内には前側に突出するピン端子４２が設けられている。
そして、給電側コネクタ７には、孔部４３が形成されていて、給電側コネクタ７と受電側コネクタ２２とが嵌合されると、この孔部４３に受電側コネクタ２２のピン端子４２が挿入される。
【００２９】
また、受電側コネクタ２２と給電側コネクタ７との間には、互いを磁気的に吸着させるマグネット機構５１が設けられている。
マグネット機構５１は、給電側コネクタ７に設けられたマグネット部材５２と、受電側コネクタ２２に設けられてマグネット部材５２に磁気的に吸着される磁性体からなる磁性部材５３とを備えている。磁性部材５３としては、例えば鉄などの金属部材でも良いし、自身もマグネットからなるものとしても良い。また、互いに磁気的に吸着されたマグネット部材５２と磁性部材５３とは、その吸着力よりも大きい外力によって、互いに離間できるように構成されている。
【００３０】
また、図４に示すように、給電側コネクタ７の側方および上方には、受電側コネクタ２２（図３参照）が移動して給電側コネクタ７に接続されるときに、給電側コネクタ７の位置をガイドするコネクタガイド部材５４が設けられている。
コネクタガイド部材５４には、後側から前側に向って給電側コネクタ７に近づく第一の傾斜面５４ａ及び一対の第二の傾斜面５４ｂが形成されている。第一の傾斜面５４ａは、給電側コネクタ７の上方に、下方に向くように設けられていて、後側から前側に向かって次第に下方へ向かうように傾斜している。また、一対の第二の傾斜面５４ｂは、給電側コネクタ７の左右方向両側に、互いに向き合い、かつ、後側から前側に向かって次第に互いに接近するように傾斜している。
【００３１】
また、コネクタガイド部材５４は、上下に進退可能であるとともに、左右に進退可能である。そして、コネクタガイド部材５４は、図示しない付勢する手段により下方に、また左右方向両側にそれぞれ付勢されていて、外力が作用しない状態では、上下方向の可動範囲内で最下端に位置しているとともに、左右方向の可動範囲内で略中央に位置している。
そして、受電側コネクタ２２が第一の傾斜面５４ａに案内され、また、第二の傾斜面５４ｂに左右方向に案内されて、コネクタガイド部材５４が付勢に抗して相対移動することで、給電側コネクタ７の位置が受電側コネクタ２２の位置に整合され、受電側コネクタ２２と給電側コネクタ７とを確実に接続することができる。なお、受電側コネクタ２２は、第一の傾斜面５４ａに当接するように、若干給電側コネクタ７よりも上側に位置するように上下方向の位置が設定されている。
【００３２】
（スイッチ部）
図５（ａ）に示すように、コネクタガイド部材５４の前側には、給電部５が通電しているオン状態と、給電部５への給電を停止するオフ状態とを切り替えるリミットスイッチ（物理スイッチ）６１が設けられている。リミットスイッチ６１は、スイッチ本体６２とヒンジレバー６３とを備える公知の構造である。このリミットスイッチ６１およびコネクタガイド部５４がスイッチ部９を構成している。
【００３３】
ヒンジレバー６３は、スイッチ本体６２とコネクタガイド部材５４との間に設置されている。また、ヒンジレバー６３は、上下方向に延在し、上端部６３ａがスイッチ本体６２と連結されており、自身の弾性により下端部６３ｂが前後方向に首振り可能とされている。ヒンジレバー６３は、自身の弾性によりスイッチ本体６２から離間する方向に付勢されいて、図５（ａ）に示すように、給電側コネクタ７と受電側コネクタ２２とが離間した状態では、コネクタガイド部材５４が付勢により上下方向の可動範囲の下端に位置し、これによりヒンジレバー６３は、下端部６３ｂがコネクタガイド部材５４によって前側に押圧され、これにより作用部６４ｃがスイッチ本体６２を押圧しオフ状態となっている。
【００３４】
一方、図５（ｂ）に示すように、コネクタガイド部材５４の第一傾斜面５４ａに受電側コネクタ２２が当接して案内され給電側コネクタ７と接続されると、コネクタガイド部材５４は付勢に抗して上方へ移動され、これによりヒンジレバー６３が自身の付勢によって後側に移動する。このため、ヒンジレバー６３の作用部６３ｃによるスイッチ本体６２の押圧が解除され、リミットスイッチ６１はオン状態となる。
【００３５】
このように、給電部５は、受電側コネクタ２２が給電側コネクタ７と接続されたときは通電して受電部４への給電が可能となり、受電側コネクタ２２が給電側コネクタ７と離間しているときは給電されずに通電していない状態となる。
【００３６】
（表示装置）
図１に示すように、カート３の天板１４の上面には、給電状態を表示する給電表示部と、バッテリー収容部２１に収容されたバッテリーに対する充電状態を表示する充電表示部とを備えた表示装置７１が設けられている。給電表示部および充電表示部は、発光ダイオード（ＬＥＤ）が使用され、それぞれ受電部４および給電部５に接続されて受信した信号に応じて点灯するようになっている。
【００３７】
次に、カート３の受電部４に給電を行う動作について説明する。
まず、図１に示すように、テーブル２と離間しているカート３を移動させて、カート３をテーブル２に近接させる。このとき、カート３をテーブル２の天板６の下側に設けられたカートガイド部材２８（図２参照）に沿って移動させ、カート３の凹部２６にテーブル２の天板６を進入させる。
そして、カート３を更に前側に移動させて、受電側コネクタ２２をコネクタガイド部材５４に沿って前側に移動させて給電側コネクタ７と接続させる。
このとき、給電側コネクタ７と受電側コネクタ２２との間には、マグネット機構５１が設けられていることにより、給電側コネクタ７と受電側コネクタ２２とが磁気的に吸着して確実に接続される。
【００３８】
そして、図５（ａ）および（ｂ）に示すように、受電側コネクタ２２と給電側コネクタ７とが接続されるときに、受電側コネクタ２２がコネクタガイド部材５４の第１の傾斜面５４ａに当接しコネクタガイド部材５４を上側に押圧することによって、コネクタガイド部材５４が上側に移動する。これによりリミットスイッチ６１はオン状態となり、給電部５に電力が供給され、給電部５から受電部４に給電が行われる。
【００３９】
このとき、給電部５から受電部４に給電が行われると、表示装置７１の給電表示部と、充電表示部とが、それぞれ受電部４および給電部５から受信した信号に応じて点灯するため、使用者は表示装置７１を確認することで給電部５から受電部４への給電状態とバッテリーの充電状態を確認することができる。
【００４０】
そして、給電部５から受電部４への給電が終了したら、カート３をテーブル２から離間させることによって、受電側コネクタ２２が給電側コネクタ７と離間すると共にコネクタガイド部材５４と離間するため、コネクタガイド部材５４が下側に移動してリミットスイッチ６１がオフ状態となる。これにより給電部５は通電していない状態となる。
【００４１】
次に、上述した第１実施形態による什器システム１Ａの効果について図面を用いて説明する。
第１実施形態による什器システム１Ａによれば、給電部５から受電部４への給電が行われていないときには、給電部５が通電していない状態とすることができるため、安全性を高めることができる。例えば、給電部５から受電部４への給電が行われていないときに使用者が誤って給電側コネクタ７に触れたとしても感電する懼れがないため、安全性を高めることができる。
また、給電部５から受電部４への給電が行われていないときの待機電力を削減することができる。
また、カート３がテーブル２に近接する動作および離間する動作に連動してスイッチ部９のオン状態およびオフ状態を切り替えることができるため、使用者がカート３を移動させる作業と別にスイッチ部９を切り替える必要がなく作業性がよい。
【００４２】
（第２実施形態）
次に、第２実施形態について、図６乃至図８に基づいて説明するが、上述の第１実施形態と同一又は同様な部材、部分には同一の符号を用いて説明を省略し、第１実施形態と異なる構成について説明する。
図６に示すように、第２実施形態による什器システム１Ｂは、第１実施形態における受電側コネクタ２２（図１参照）と給電側コネクタ７（図１参照）との接続による給電に代わって、テーブル２に設けられた給電部８０の給電側コイル８１とカート３に設けられた受電部９０の受電側コイル９１とを近接させ、給電側コイル８１の電流により生じる電磁誘導によって受電側コイル９１に電流を発生させることによる非接触給電を行うように構成されている。
【００４３】
（給電部）
図６および図７に示すように、給電部８０は、周波数変換器８２（図７参照）を備えた給電側コイル８１とスイッチ部８３とが薄型箱形状のカバー体８４（図６参照）に収納されている。給電部８０は電源ケーブルを介して図６に示すテーブル２の天板６に設けられているコンセント（不図示）に接続されている。
【００４４】
図６に示すように、カバー体８４は、上面が開口になっており、テーブル２の天板６の下面の所定位置に固定されている。そして、給電側コイル８１は、そのコイル給電面８１ａを下向きにした状態でカバー体８４に収容されている。
また、後述する受電部９０のカバー体８５の上面には、上方に向けて突出する凸部８５が設けられていて、カバー体８４にはこの凸部８５が進入可能な開口８４ａが設けられている。カート３がテーブル２に近接することによって、凸８５が開口８４ａに進入するように構成されている。
【００４５】
（スイッチ部）
図８（ａ）、（ｂ）に示すように、スイッチ部８３は、第一実施形態のスイッチ部９（図１参照）に代わるもので、バネ部材１０１を備えた回転作動板１０２がそのバネ部材１０１の付勢に抗して回転したときに、その回転作動板１０２の作用端１０２ａでスイッチ１０３をオン状態にする構成となっている。
回転作動板１０２は、カバー体８４の底面８４ｂに直交する方向の回転軸１０２ｃを中心に回転する平面視で略扇形状の回転板１０２Ａを有し、この回転板１０２Ａの周方向の一端（基端１０２ｂ）には、回転板１０２Ａの半径方向外側に突出する張出し片１０２Ｂ（図８（ｂ）参照）が設けられている。
【００４６】
さらに、回転作動板１０２の円弧を形成する外周部には、張出し片１０２Ｂをカバー体８４の開口８４ａの位置、すなわち凸部８５の進入路を塞ぐ位置に配置させた状態で、付勢された前記バネ部材１０１が取り付けられている。
つまり、図８（ｂ）に示すように、回転作動板１０２は、開口８４ａからカバー体８４内に進入する凸部８５によって張出し片１０２Ｂが押圧され、これによりバネ部材１０１の付勢に抗して回転軸１０２ｃを中心にして矢印Ｅ方向に回転し、図８（ｂ）で二点鎖線の位置へ移動する構成となっている。
【００４７】
スイッチ１０３は、レバー式のスイッチであり、レバー部１０３ａが回転作動板１０２の作用端１０２ａの位置によってオンオフの位置を選択的に取り得るものである。つまり、スイッチ１０３は、回転作動板１０２が回転していないときにはオフ状態であり、回転作動板１０２の回転により作用端１０２ａによってレバー部１０３ａが押圧されてオン状態となる。そして、スイッチ１０３がオン状態になるとき、給電側コイル８１（図８（ａ）参照）に電流が流れるようになっている。
【００４８】
（受電部）
図６に示すように、受電部９０は、カート３の凹部２６の下側に設けられている。図６および図７に示すように、受電部９０は、整流器９２（図７参照）を備えた受電側コイル９１と、受電側コイル９１に電圧変換器９３を介して接続されたバッテリーユニット９４とが、薄型箱形状のカバー体９５（図６参照）に収納され、バッテリーユニット９４の出力側には天板１４（図６参照）上で使用される電子機器Ｐ用のコンセント（不図示）が接続されている。
【００４９】
図６に示すように、受電側コイル９１は、そのコイル受電面９１ａを上向きにして、カート３がテーブル２に対して組合せ位置に位置する状態で、給電側コイル８１のコイル給電面８１ａに間隔をもって対向する位置に配置されている。
図７に示すように、バッテリーユニット９４は、バッテリー本体９６と、受電側コイル９１より入力される電気を充電制御する充電制御部９７と、バッテリー本体９６から出力される電圧を制御する出力制御部９８とを備えている。
【００５０】
このように構成される給電部８０および受電部９０では、給電側コイル８１と受電側コイル９１とを近接させると、給電部８０においてスイッチ部８３のスイッチ１０３がオン状態になり、例えば交流１００Ｖの電気が直流電源により直流２４Ｖに変換されて給電側コイル８１に流れる。そして、給電側コイル８１の電流により生じる電磁誘導によって受電側コイル９１に電流が発生して非接触給電が行われる。さらに、受電部９０において、受電側コイル９１で給電された電圧が電圧変換器９３で直流１７Ｖに変換されてバッテリー本体９６に充電され、出力時には出力制御部９８より直流１５Ｖに変換されてコンセント側に出力されることになる。
【００５１】
次に、上述した第２実施形態による什器システムの効果について図面を用いて説明する。
第２実施形態による什器システム１Ｂによれば、給電側コイル８１と受電側コイル９１とが対向配置したときに、スイッチ部８３のスイッチ１０３がオン状態となって給電側コイル８１に電流が流れることにより、給電側コイル８１と受電側コイル９１とが対向配置しているとき以外は給電側コイル８１に電流が流れることがないため、安全性を高めることができる。
例えば、給電側コイル８１に受電側コイル９１以外の金属などが対向配置されたとしても、給電側コイル８１に電流が流れて発熱する懼れがない。
【００５２】
また、給電部８０および受電部９０は非接触給電を行うことにより、給電部８０や受電部９０をカバーで覆った状態でも給電を行うことができる。そして、給電部８０や受電部９０をカバーで覆うことで、テーブル２やカート３に水や薬液などがかかったとしても、給電部８０および受電部９０にこの水や薬液がかかることを防ぐことができ、更に安全性を高めることができる。
【００５３】
以上、本発明による什器システムの実施形態について説明したが、本発明は上記の実施形態に限定されるものではなく、その趣旨を逸脱しない範囲で適宜変更可能である。
例えば、上述した第１実施形態では、スイッチ部９は、受電側コネクタ２２がコネクタガイド部材５４と当接・離間することで外部から給電部５への給電および給電の停止を切り替えているが、カート３がテーブル２に近接する際にカート３の天板１４がテーブル２に取り付けられたスイッチに当接することで外部から給電部５へ給電し、このスイッチからカート３の天板１４が離間することで給電部５への給電が停止する構成としてもよい。
また、カート３の天板１４だけでなく、図９に示すようにカート３の前部支柱１６がスイッチ１１０に当接してもよく、図１０に示すように、カート３のキャスタ１１が、スイッチに当接する構成としてもよい。
また、スイッチ部は、カート３が近接することを感知して、オン状態とオフ状態とを切り替える近接センサとしてもよい。この近接センサとしては、例えば、電磁誘導を利用した高周波発振型センサ、磁石を用いた磁気型センサ、静電容量の変化を利用した静電容量型センサなどが挙げられる。
【００５４】
また、上述した実施形態では、カート３を移動什器としているが、カート３に代わって移動可能なテーブルやキャビネットなどを移動什器としてもよく、また、テーブル２以外の什器を固定什器としても良い。このとき、受電部４と給電部５が設けられる場所は適宜設定されていてもよい。
また、上述した実施形態では、カート３の天板１４の上面に、給電状態を表示する給電表示部と、バッテリー収容部２１に収容されたバッテリーに対する充電状態を表示する充電表示部とを備えた表示装置７１が設けられているが、カート３の天板１４に代わってバッテリー収容部２１の上面やテーブル２の天板６の上面などに表示装置７１が設けられていてもよい。また、什器システム１Ａ，１Ｂに表示装置７１がない構成としてもよい。
また、上述した第２実施形態では、給電側コイル８１と受電側コイル９１とを近接させ、給電側コイル８１の電流により生じる電磁誘導によって受電側コイル９１に電流を発生させる非接触給電を行っているが、このような非放射型の電磁誘導による送電方式であることに限定されることはなく、例えば、非放射型の磁界共鳴方式や、放射型の電磁波（マイクロ波送電）方式を採用することも可能である。
【符号の説明】
【００５５】
１Ａ，１Ｂ  什器システム
２  テーブル（固定什器）
３  カート（移動什器）
４，９０  受電部
５，８０  給電部
６  天板
７  給電側コネクタ（第二のコネクタ）
９，８３  スイッチ部
２２  受電側コネクタ（第一のコネクタ）
５１  マグネット機構
５２  マグネット部材
５３  磁性部材
７１  表示装置
８１  給電側コイル
９１  受電側コイル
Ｆ  床面
【図１】
2012019876.tif 000003
【図２】
2012019876.tif 000004
【図３】
2012019876.tif 000005
【図４】
2012019876.tif 000006
【図５】
2012019876.tif 000007
【図６】
2012019876.tif 000008
【図７】
2012019876.tif 000009
【図８】
2012019876.tif 000010
【図９】
2012019876.tif 000011
【図１０】
2012019876.tif 000012